(57)【要約】【課題】本発明は、装置、操作支援装置、端末装置、プログラムおよび記憶媒体に関し、基本的な構成に大きな変更を伴うことなく安価に、操作性が大幅に向上することを目的とする。【解決手段】構成要素の連係または稼働を統括するプロセッサを有する装置であって、前記装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する処理要求手段を備える。【選択図】図１
2014109912.tif 000002
【特許請求の範囲】
【請求項１】
構成要素の連係または稼働を統括するプロセッサを有する装置であって、
前記装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する処理要求手段を備えた
ことを特徴とする装置。
【請求項２】
構成要素の連係または稼働を統括するプロセッサを有する装置の操作を支援する操作支援装置であって、
前記装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する処理要求手段を備えた
ことを特徴とする操作支援装置。
【請求項３】
既定の用途に供される端末装置であって、
プロセッサによって連係や稼働の統括が図られる構成要素を有する装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する処理要求手段を備えた
ことを特徴とする端末装置。
【請求項４】
請求項３に記載の端末装置としてコンピュータを機能させるプログラム。
【請求項５】
請求項３に記載の端末装置としてコンピュータを機能させるプログラムが格納され、かつコンピュータ読み取り可能な記憶媒体。
【発明の詳細な説明】
【技術分野】
【０００１】
本発明は、保有する機能の内、操作者によって指示された機能を発揮する装置と、これらの機能の内、操作者が希望する機能の選択を支援する操作支援装置と、これらの装置または操作支援装置と連係し、その操作支援装置の機能の全てまたは一部を余剰の処理量の活用により実現する端末装置と、この端末装置としてコンピュータを機能させるプログラムと、このプログラムが格納された記憶媒体に関する。
【背景技術】
【０００２】
近年、家電製品だけではなく、コンピュータ、通信機器、航法機器その他の多様な機器では、その機能の多くが内部に搭載されたプロセッサが実行するソフトウェアによって実現され、かつ競業者が提供する類似機器との差別化のための性能や付加価値の向上も図られている。
図７は、プロセッサが実行するソフトウェアにより機能および性能が実現されるレーダ装置の構成例を示す図である。
図７に示すレーダ装置７０は、以下の通りに構成される。
(1) 空中線系７１の給電点は送受信部７２のアンテナ端子に接続される。
(2) その送受信部７２の変調入力および復調出力は、信号処理部７３の対応するポートに接続される。
【０００３】
(3) 信号処理部７３には、指示部７４が接続される。
(4) 送受信部７２、信号処理部７３および指示部７４の制御端子には、制御部７５の対応する入出力ポートが接続される。
【０００４】
このような構成のレーダ装置７０では、各部が以下の通りに連係することにより、物標の探知等の機能が実現される。
【０００５】
信号処理部７３は、制御部７５の配下で所望のレンジに適応した周期および振幅のパルス信号で変調された送信波を生成する。
【０００６】
送受信部７２は、制御部７５の配下で、空中線系７１を介して目標が位置し得る覆域にその送信波を照射する。なお、空中線系７１は、例えば、主ローブの方向が所定の周期でサイクリックに変更されることにより、上記覆域の全域に対する送信波の照射に併せて、これらの覆域に位置する船舶等の目標から到来した反射波の受信に供される。
【０００７】
送受信部７２は、空中線系７１に到来した反射波を制御部７５の配下で復調することによって復調信号を生成し、信号処理部７３に引き渡す。
【０００８】
信号処理部７３は、上記復調信号にＣＦＡＲ処理その他のレーダ信号処理を施すことに
よって所望の指示方式（ＰＰＩ(Plan Position Indicator)スコープ等）の画像（以下、「指示画像」という。）を生成し、指示部７４に引き渡す。
【０００９】
また、制御部７５は、指示部７４を介して操作者によって与えられる指示と、送受信部７２、信号処理部７３および指示部７４の稼働状態（ステータス）とに基づいて所定の処理を行い、これらの送受信部７２、信号処理部７３および指示部７４に、その処理の結果を適宜引き渡すことにより、レーダ装置７０としての機能および性能を主導的に実現する。
【００１０】
なお、このような処理の下では、各部の稼働の形態および機能と、これらの連係の形態とは、例えば、以下に列記する項目の組み合わせにより実現される。
【００１１】
（１）  レーダ方式の設定、切り替え
（１−１）  パルスレーダ方式、
（１−２）  パルス圧縮レーダ方式
（１−２−１）  パルス幅
（１−２−２）  変調方式
（１−２−３）  短パルスとの併用の有無
（１−２−３−１）  短パルスのパルス幅
（１−２−３−２）  先頭値
（１−２−３−３）  長パルスとの間隔（長パルスとの前後関係）
【００１２】
（２）  送信波
（２−１）  送信電力
（２−１）  パルス幅
（２−１）  スタガ送信
【００１３】
（３）  空中線系
（３−１）  指向性（メインローブの幅、方向）
（３−２）  スイープ（有無、速度、）
（３−３）  偏波（直線偏波、円偏波）
【００１４】
（４）  レーダ信号処理のパラメータ
（４−１）  量子化レベル（値）
（４−２）  ビット幅
（４−３）  窓関数（矩形、ハニング、ブラックマン、カイザー）
（４−４）  メインローブ幅
（４−５）  サイドローブ幅
【００１５】
（５）  クラッタ除去の適用の要否
（５−１）  シークラッタ（海面反射）ＳＴＣ
（５−２）  ウェザークラッタ（雨雪）ＦＴＣ
（５−３）  偏自己相関フィルタ  ＰＡＲＣＯＲ
（５−４）  アルマンアルゴリズム
（５−５）  学習同定法
【００１６】
（６）  ＣＦＡＲの適用の要否
（７）  スイープ間相関（積分）の要否
（７−１）  振幅加算平均
（７−２）  コヒーレント積分
【００１７】
（８）  スキャン間相関の適用の要否
（９）  スキャン間積分の適用の要否
（１０）干渉除去の適用の要否
（１１）探知性能（閾値）
【００１８】
（１２）移動物標の検知の適用の要否
（１２−１）ＭＴＩ
（１２−２）ＬＰＦ（線形予測フィルタ）
（１２−３）ＣＡＭＤＦ（クラッタ  アダプティブ  マルチ  ドップラ  フィルタ）
【００１９】
（１３）目標追尾の要否
（１３−１）目標追尾用フィルタリング方式
（１３−１−１）α−βフィルタ
（１３−１−２）カルマンフィルタ
（１３−１−３）アダプティブフィルタ
【００２０】
（１４）情報の外部との共有・配信
（１４−１）対象
（１４−２）共有先
【００２１】
（１５）指示
（１５−１）指示方式
（１５−２）指示対象
（１５−３）指示フォーマット
【００２２】
なお、本発明に関連性がある先行技術としては、以下に列記する特許文献１ないし特許文献７があった。
(1) 「音声によって対象を呼び出す音声認識装置であって、  入力音声を認識する音声認識手段と、上記音声認識手段による認識結果に基づいて、呼び出しの対象を検索する対象検索手段と、上記対象検索手段の検索結果に基づいて、複数の検索結果項目中に共通に存在する文字列をカテゴリ名として抽出するカテゴリ名作成手段と、上記作成されたカテゴリ、上記対象検索手段の検索結果をメニュー表示する際のメニュー項目名として、上記検索結果のメニューを作成するメニュー作成手段と、上記メニュー作成手段によって作成されたメニューを表示するメニュー表示手段を備える」ことによって、「表示する検索候補のメニュー項目数を減らす」点に特徴がある音声認識装置および音声認識方法…特許文献１
【００２３】
(2) 「記憶装置に記憶された複数の文書に対して特定文字列の不完全一致をも含むあいまい検索を行うための文書検索装置であって、前記全文書に対して前記特定文字列を照合してその一致度を判断するための評価部と、前記一致度毎に対応する文書の数を集計するための集計処理部と、前記集計処理部による集計結果を表及び／またはグラフにて表示するための表示部とを有し、必要に応じて前記一致度毎に対応する文書の数を表及び／またはグラフにて表示可能とする」ことによって、「特定の文字列が含まれる文書の検索時間を可及的に短縮し、検索効率を向上する」点に特徴がある検索方法…特許文献２
【００２４】
(3) 「入力手段より入力された文字列を基準にして検索対象文字列の集合を検索する検索方法において、前記文字列と一致する文字列を有してなる検索対象文字列を検索し、前記一致する文字列を有してなる検索対象文字列を検出できない場合、前記文字列を基準にしたあいまい検索により前記検索対象文字列の集合を検索する」ことによって、「例えば、光ディスクに記録された辞書等を検索する場合に、ユーザーが検索語を誤入力した場合でも、必要に応じてユーザーの意図する検索結果を得る」点に特徴がある検索方法…特許文献３
【００２５】
(4) 「記憶媒体に格納された比較文書を検索できるコンピュータ・システムにおいて、前記コンピュータ・システムに入力された入力文書に含まれる特徴文字列を特定する方法であって、（ａ）前記比較文書から抽出された部分比較文書文字列が存在する前記比較文書中の位置情報を前記部分比較文書文字列と関連付けて管理する段階と、（ｂ）前記入力文書から、部分入力文字列を抽出して、候補文字列とする段階と、（ｃ）前記候補文字列の一部と、一定の類似度以上で一致する部分比較文書文字列を特定する段階と、（ｄ）前記一定の類似度以上で一致する部分比較文書文字列に関連付けられた位置情報を特定する段階と、（ｅ）前記候補文字列の一部が前記入力文書中に出現する出現頻度情報と、前記位置情報を対比して、前記候補文字列の特徴量を評価することにより前記候補文字列を特徴文字列と認定する段階とを含む」ことによって、「語彙情報・文法情報を使わずに、相対的かつ流動的に特徴文字列を抽出する」点に特徴がある情報検索方法…特許文献４
【００２６】
(5) 「住所を住所区分に対応する数値データとして入力する住所データ入力手段と、前記数値データを入力し、前記住所の位置情報を出力する位置特定用ニューラルネットワークと、前記位置特定用ニューラルネットワークによって特定された位置を地図上に表示して出力する出力手段とを有する」ことによって、「住所データの地図上の位置を特定するためのデータ量を減らし、かつ、住所データの位置を迅速正確に特定することができる」点に特徴がある住所位置特定装置…特許文献５
【００２７】
(6) 「入力部と、オブジェクトと、このオブジェクトを検索するための検索情報とが対応つけられて格納されたオブジェクト格納部と、検索情報と、この検索情報に類似した検索情報である類似検索情報と、上記検索情報と類似検索情報との類似度とが、互いに対応つけられて格納された検索情報格納部と、上記入力部から入力されたオブジェクトを、このオブジェクトに検索情報を付加して上記オブジェクト格納部に登録するオブジェクト登録部と、上記入力部から指定された検索情報と上記入力部から指定された類似度とに基づいて、上記検索情報格納部から、上記指定された検索情報との類似度が上記指定された類似度以上である類似検索情報を選出する類似検索情報選出部と、上記選出された類似検索情報と上記指定された検索情報とを表示する検索情報表示部と、上記選出された類似検索情報と上記指定された検索情報とに基づいて、上記オブジェクト格納部から、上記選出された類似検索情報または上記指定された検索情報のうち少なくとも一方が付加されているオブジェクトを検索する検索部と、上記検索部によって検索されたオブジェクトを出力する出力部を備える」ことによって、「曖昧検索時において、指定された曖昧度に応じて選出された検索情報を表示できる」点に特徴がある情報処理装置…特許文献６
【００２８】
(7) 「音声によって対象を呼び出す音声認識装置であって、入力音声を認識する音声認識手段と、上記音声認識手段による認識結果に基づいて、呼び出しの対象を検索する対象検索手段と、上記対象検索手段の検索結果に基づいて、複数の検索結果項目中に共通に存在する文字列をカテゴリ名として抽出するカテゴリ名作成手段と、上記作成されたカテゴリ名のうち上記対象検索手段による検索結果項目の文字列に一致若しくは部分一致するカテゴリ名を、上記対象検索手段の検索結果をメニュー表示する際のメニュー項目名として、上記検索結果のメニューを作成するメニュー作成手段と、上記メニュー作成手段によって作成されたメニューを表示するメニュー表示手段を備える」ことによって、「表示する検索候補のメニュー項目数を減らす」点に特徴がある音声認識装置…特許文献７
【先行技術文献】
【特許文献】
【００２９】
【特許文献１】特開２００３−１８６４９５号公報
【特許文献２】特開平７−１２９６２５号公報
【特許文献３】特開平９−２３１２４０号公報
【特許文献４】特開平９−２９３０７７号公報
【特許文献５】特開平１０−２４０７１０号公報
【特許文献６】特開平１０−２６０９８１号公報
【特許文献７】特開２００３−１８６４９５号公報
【発明の概要】
【発明が解決しようとする課題】
【００３０】
ところで、上述した従来のレーダ装置７０では、探知されるべき目標、その目標が位置する地点や海域における気象条件、時間帯等の様々な条件に応じて各部が機能しあるいは連係すべき形態が多様である。
【００３１】
したがって、操作者によるレーダ装置７０の操作は、例えば、指示部７４に備えられた指示画面を介するＧＵI（グラフィック・ユーザ・インタフェース）の下で、プルダウンメニューその他の階層的なメニューを幾つも辿ることによって行われるために、煩雑であった。
【００３２】
すなわち、従来例では、操作者に、レーダ装置７０の構成、機能、仕様だけではなく、適用可能なレーダ信号処理の体系や組み合わせの得失、可否、適否等の判断に併せて、操作の熟練が強いられ、操作者となるべき新人の教育やトレーニングにも多くの時間やコストを要する場合が多かった。
【００３３】
また、頻繁には行われない形態による運用が必要となったときには、操作者は、このような運用を可能とする操作の手順が掲載されたマニュアルを参照してその操作を行わなければならず、操作性が低いばかりか、緊急時における速やかな運用が阻まれる可能性が高かった。
【００３４】
さらに、従来例では、制御部７５の処理量は、その制御部７５の性能の向上に応じて余剰分が増加しているにもかかわらず、レーダ装置７０に関する性能の向上、新しい機能の付加、付加価値の向上のために適用されても、操作性の向上のためには割かれない傾向が強かった。
【００３５】
本発明は、基本的な構成に大きな変更を伴うことなく安価に、操作性の大幅な向上が図られる電子装置、操作支援装置、端末装置、プログラムおよび記憶媒体を提供することを目的とする。
【課題を解決するための手段】
【００３６】
請求項１に記載の発明では、構成要素の連係または稼働を統括するプロセッサを有する装置において、処理要求手段は、前記装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する。
【００３７】
すなわち、上記装置によって発揮されるべき所望の機能とその機能の前提条件との対は、このような対の態様の内、操作者によって与えられる語や句に整合した対として指定される。
【００３８】
請求項２に記載の発明では、構成要素の連係または稼働を統括するプロセッサを有する装置の操作を支援する操作支援装置において、処理要求手段は、前記装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する。
【００３９】
すなわち、上記装置によって発揮されるべき所望の機能とその機能の前提条件との対は、このような対の態様の内、操作者によって与えられる語や句に整合した対として指定される。
【００４０】
請求項３に記載の発明では、既定の用途に供される端末装置において、処理要求手段は、プロセッサによって連係や稼働の統括が図られる構成要素を有する装置の機能毎に、発揮され得る個別の前提条件と、前記個別の前提条件における発揮のために前記プロセッサによって行われるべき処理との対の内、操作者によって与えられた語または句に整合する対で示される処理を前記プロセッサに要求する。
【００４１】
すなわち、上記装置によって発揮されるべき所望の機能とその機能の前提条件との対は、このような対の態様の内、操作者によって与えられる語や句に整合した対として指定される。
【発明の効果】
【００４２】
本発明によれば、操作者は、既述の語や句を見出すことができるならば、操作の対象となる装置について、構成と、その構成の下で行われる機能分散や負荷分散の形態との双方に精通していなくても、その装置に所望の前提条件における所望の機能を発揮させることができる。
【００４３】
したがって、本発明が適用された装置やシステムでは、基本的な構成に大きな変更を伴うことなく安価に、操作性の大幅な向上が図られ、利便性および可用性が総合的に高められる。
【図面の簡単な説明】
【００４４】
【図１】本発明の一実施形態を示す図である。
【図２】本実施形態の動作フローチャートである。
【図３】である。
【図４】である。
【図５】である。
【図６】である。
【図７】である。
【発明を実施するための形態】
【００４５】
以下、図面に基づいて本発明の実施形態について詳細に説明する。
図１は、本発明の一実施形態を示す図である。
本実施形態と図７に示す従来例との構成の相違点は、ハードウェア面では、制御部７５に代えて制御部１１が備えられ、ソフトウェア面では、空中線系７１、送受信部７２、信号処理部７３および指示部７４（以下、これらの総称を「各部」という。）の個々の稼働の形態や機能と、これらの連係の形態とが後述するように制御部１１の主導の下で実現される点にある。なお、以下、本実施形態に係るレーダ装置については、以下では、符号「１０」を付して表記する。
【００４６】
図２は、本実施形態における制御部の動作フローチャートである。
図３は、本実施形態の動作を説明する図である。
以下、図１〜図３を参照して本実施形態の動作を説明する。
【００４７】
本発明の特徴は、本実施形態では、制御部１１は、図７に示す制御部７５と同様に各部の動作および連係に主導的に関与するが、その過程において、指示部７４に備えられた指示画面と操作部とを介して操作者とのＧＵＩをとり、そのＧＵｉの下で後述する処理を行う点にある。
【００４８】
このような処理の過程で制御部１１によって参照される演算対象には、図４〜図６にそれぞれ示すフレーズレジスタ１１ＦＲＴ  、基本フレーズテーブル１１ＢＦＴ  およびアクションレジスタ１１ＡＲが含まれる。なお、これらのフレーズレジスタ１１ＦＲＴ  、基本フレーズテーブル１１ＢＦＴ  およびアクションレジスタ１１ＡＲは、制御部１１の主記憶または外部記憶（何れも図示されない。）に配置される。
【００４９】
以下、これらの演算対象の内容および形式について説明する。
〔基本フレーズテーブル１１ＢＦＴ  〕
基本フレーズテーブル１１ＢＦＴ  は、図５に示すように、レーダ装置１０の仕様、性能等に適合し、かつ実際に適用され得る値が予め設定された以下の３つの項目がそれぞれ格納されたフィールドからなるレコードの列として構成される。
【００５０】
(1) レーダ装置１０の各部が連係してあるいは単独で行うべき稼働の基本的な形態毎に、該当する稼働の形態および環境を示すフレーズ（文または句）として構成された「基本フレーズ」
(2) 『このような「基本フレーズ」で示される形態でレーダ装置１０の各部が連係してあるいは単独で稼働する』ことを制御部１１が該当する各部に指示する処理を示す「処理識別子」
【００５１】
(3) 上記処理識別子で示される処理の実行時に適用されるべき引数を示す「パラメータ」
なお、上述した「処理識別子」は、以下では、所定のインタープリータ言語で定義され、かつ制御部１１によって実行されることによって該当する処理を実現する関数の識別子であると過程する。
【００５２】
また、上記「パラメータ」に含まれる個々の要素については、例えば、以下の何れかの形態で定義されると仮定する。
(a) 値が不問であることを意味する「空欄」
(b) 操作者に対する問い合わせにより値が設定されるべきことを意味する「？」
【００５３】
(c) 値を決めるために実行されるべき処理の識別子を意味する「ｆｉｄ」（"ｉｄ"は該当する処理に予め付与された識別子（ただし、このような「サブ識別子で示される処理の引数は、上記「パラメータ」に含まれると仮定する。）
(d) 上記「空欄」、「？」、「ｆｉｄ」の何れにも該当しない定数値
【００５４】
〔アクションレジスタ１１ＡＲ〕
アクションレジスタ１１ＡＲは、図６に示すように、制御部１１が上記基本フレーズテーブル１１ＢＦＴ  を参照することにより求めた処理識別子およびパラメータの対からなるレコードが順次格納され、個々のレコードに含まれる処理識別子が示す処理が実行されるべき順に適宜並べ替えられると共に、適宜編集のために参照される作業領域である。
【００５５】
本実施形態において制御部１１によって行われる特徴的な処理の手順は、以下の通りである。
操作者は、例えば、「風雪の海域にて、周辺の他船に搭載されていて同じ周波数帯を用いるレーダ装置から到来するレーダ信号による干渉があるが、これらの他船の内、移動している船舶が検知されるべき状況」では、先ず、指示部７４と制御部１１との間で行われるＧＵＩによって表示されるテキストボックスに、例えば、キーワード「風」を入力する（図３(1))。
【００５６】
制御部１１は、このようなキーワード「風」を識別する（図２ステップＳ１）と、以下の処理を行う。
(1) 基本フレーズテーブル１１ＢＦＴ  のレコードの内、「基本フレーズ」フィールドに上記キーワード「風」を含むレコード（図３(2))をリストアップする（図２ステップＳ２）。以下、このような処理を「相関レコード抽出処理」という。
【００５７】
(2) これらのレコードの「基本フレーズ」の値（以下、「候補基本フレーズ」という。）が配置されたプルダウンメニューを上記テキストボックスの下部に表示する（図２ステップＳ３，図３(3))。以下、このような処理を「候補フレーズ表示処理」という。
【００５８】
これらの「候補基本フレーズ」の内、既述の状況に最も適した基本フレーズ（以下、「最適基本フレーズ」という。）「風で動く波から到来した海面反射を抑圧する」が操作者によって選択される（図２ステップＳ４，図３(4))と、制御部１１は、以下の処理を行う。
【００５９】
(1) 基本フレーズテーブル１１ＢＦＴ  のレコードの内、「基本フレーズ」フィールドの値がこの最適基本フレーズに等しいレコード（図３(5))（以下、「該当レコード」という。）を識別する（図２ステップＳ５）。以下、このような処理を「該当レコード抽出処理」という。
【００６０】
(2) このような該当レコードの「処理識別子」フィールドの値と、「パラメータ」フィールドの値とをそれぞれアクションレジスタ１１ＡＲの空いているレコードに格納する（図２ステップＳ６，図３(6))。以下、このような処理を「アクションレコード格納処理」という。
【００６１】
(3) テキストボックスに先行して表示されているフレーズがある場合には、そのフレーズの表示属性を「下線付き」に変更して確定し（図２ステップＳ７）、最新の最適基本フレーズ「風で動く波から到来した海面反射を抑圧する」を上記テキストボックス上に表示する（図２ステップＳ８，図３(8))。以下、このような処理を「フレーズ更新処理」という。
【００６２】
また、既述の状況を示すキーワードの内、既に選択された最適基本フレーズ「風で動く波から到来した海面反射を抑圧する」には含まれない他のキーワードとして、例えば、「干」または「干渉」が操作者によってテキストボックスに付記されると、制御部１１は、そのキーワード「干」または「干渉」を既述の「風」に代えて適用することにより「相関レコード抽出処理」）（図２ステップＳ２）および「候補フレーズ処理」（図２ステップＳ３）を行い、これらの処理の結果として得られた最適基本フレーズ「同周波数帯の干渉を抑圧する」に基づいて「該当レコード抽出処理」（図２ステップＳ４，Ｓ５）、「アクションレコード格納処理」（図２ステップＳ６）および「フレーズ更新処理」（図２ステップＳ７）を行う。
【００６３】
なお、図３では、このようなキーワード「干（干渉）」に応じて行われる一連の処理との対応関係については、基本的に既述の通りであるので、既出の番号(1)〜(7)にコーテーションマーク「'」を付加して表記する。
以上の処理により、テキストボックスには、既述の状況に適応したフレーズとして「風があっても移動物標を検知する，同周波数帯の干渉を抑圧する」が表示される。
【００６４】
さらに、アクションレジスタ１１ＡＲの各レコードには、以下の２つのフレーズで個別に示される形態でレーダ装置１０の各部が連係し、あるいは稼働するために、制御部１１が行うべき処理を示す処理識別子Ｐlpi ，Ｐstg_txと、これらの処理の過程でそれぞれ参照されるべきパラメータとの対が格納される。
【００６５】
(1) フレーズ「風で動く波から到来した海面反射を抑圧する」
(2) フレーズ「同周波数帯の干渉を抑圧する」
これらの処理識別子Ｐlpi ，Ｐstg_txで示される関数には、以下のような処理の手順が予め定義される。
【００６６】
〔関数Ｐlpi〕
レーダ信号の処理に適応型の線形予測フィルタ（ＬＰＦ）を適用することにより、風で動く波から到来した海面反射を抑圧する処理を信号処理部７３に指示する。
【００６７】
〔関数Ｐstg_tx〕
周辺の他船（レーダ装置）から到来する同一周波数のレーダ信号との同期関係が時間軸上で分散されるように送受信部７２、信号処理部７３および指示部７４を連係させることにより、そのレーダ信号による干渉の緩和を図る。
【００６８】
制御部１１は、アクションレジスタ１１ＡＲのレコード（以下、「アクションレコード」という。）を逐一参照して、以下の処理を行う。
(1) 「パラメータ」フィールドの値で示される個々の引数を既述の規約(a)〜(d)に基づいて参照し、適宜補完して確定する（図２ステップＳ９）。
(2) このようにして確定された引数を用いて、該当するレコードの「処理識別子」フィールドの値に対応した関数を起動する（図２ステップＳ１０）。
【００６９】
すなわち、本実施形態では、操作者によって入力されたキーワードが含まれるフレーズに基づいて、レーダ装置１０の各部が連係してあるいは単独で稼働すべい形態が簡便に選択可能となり、しかも、このようにして選択された形態によるレーダ装置１０の各部の連係や稼働は、制御部１１の主導の下で速やかに実現される。
【００７０】
さらに、本実施形態では、基本フレーズテーブル１１ＢＦＴ  の各レコードには、段落００１１〜００２１に列記した項（１）〜（１５−３）に示すように、操作者によって指定され得る全てのキーワードを含んだ基本フレーズで表されるレーダ装置１０の機能や稼働の形態が全て網羅され、しかも、制御部１１が実行することによってこれらの機能や稼働を実現する関数およびその引数が予め定義されている。
【００７１】
したがって、本実施形態によれば、制御部１１の余剰の処理量が有効に活用されることにより、基本的な構成に大きな変更を伴うことなく安価にレーダ装置の操作性の大幅な向上が図られる。
【００７２】
また、本実施形態によれば、レーダ装置１０に要求され得る機能、性能その他の条件に対応した基本フレーズ、処理識別子およびパラメータからなるレコードが基本フレーズテーブル１１ＢＦＴ  に予め登録されることにより、複雑かつ多様な操作の簡略化に併せて効率化が図られて大幅な省力化が図られると共に、レーダ装置１０の可用性および信頼性が高められる。
【００７３】
さらに、本実施形態によれば、操作者は、既述のキーワードを指定することにより、持ち合わせている語彙力の限界を超えて、レーダ装置１０を所望の形態で運用することが可能となる。
【００７４】
なお、本実施形態では、基本フレーズテーブル１１ＢＦＴ  は、操作者が行う所定の操作の下で、新たなレコードの追加と、既存のレコードの編集とが図られてもよい。
【００７５】
また、フレーズレジスタ１１ＦＲに入力されるフレーズは、文や句でなくてもよく、例えば、キーワードに相当する語の列であってもよい。
【００７６】
さらに、既述のキーワードは、操作者によって個別に入力されなくてもよく、例えば、操作者が「レーダ装置１０の所望の運用の形態」として入力した文や句の形態素分析により抽出された語、あるいはこのような語の類義語や関連語（何れも、所定の辞書の参照により求められる）として設定されてもよい。
【００７７】
また、本発明は、レーダ装置１０に限定されず、複数の構成要素から構成され、これらの構成要素の稼働や連係の形態の指示のために操作者が行うべき操作が煩雑となり得るならば、如何なる装置やシステムにも同様に適用可能である。
【００７８】
さらに、本実施形態では、アクションレジスタ１１ＡＲに登録されるレコードの順は、制御部１１によって実行されるべき順に配置されなくてもよい。
【００７９】
また、アクションレジスタ１１ＡＲに登録されたレコードで示される一連の処理は、確度高くあるいは望ましい条件で実現される方向で、各処理識別子で示される関数の実行順序が最適化されてもよく、または、これらの関数が、他の関数の実行との競合や調整を図るリカーシブもしくはリエントラントな関数として構成されてもよい。
【００８０】
さらに、本実施形態のハードウェアおよびソフトウェアの構成は既述の構成に限定されず、各部の連係によって行われる本発明の特徴的な振る舞いや処理は、如何なる形態で機能分散や負荷分散が図られてもよい。
【００８１】
また、本実施形態では、操作者と制御部１１との間におけるＧＵＩは、指示部７４に備えられた指示画面および操作部を介して行われている。
【００８２】
しかし、これらの指示画面および操作部の双方または何れか一方の全てもしくは一部は、例えば、制御部１１や指示部７４と連係可能なスマートフォンのような汎用の端末装置の操作表示部と、これらの制御部１１や指示部７４と、スマートフォンとに組み込まれたソフトウェアとで代替されてもよい。
【００８３】
さらに、本実施形態では、基本フレーズは、レーダ装置１０の機能や振る舞いについて操作者が疑念を持つことがなくその操作者の意図を的確に示すならば、文や句ではなく、所定の規約に準拠した単語の列やステートメントであってもよい。
【００８４】
また、本実施形態では、基本フレーズには、「雪」、「風」等の気象条件に限定されず、例えば、時間帯、地域、温度、湿度、操作者の識別子等のように、レーダ装置１０の機能や振る舞いの前提となる如何なる条件が含まれてもよい。
【００８５】
さらに、本実施形態では、基本フレーズは、操作者が入力したキーワードに基づいて基本フレーズテーブル１１ＢＦＴ  が参照されることによって表示されたプルダウンメニューから選択されなくてもよく、例えば、操作者が入力した文や句とその基本フレーズテーブル１１ＢＦＴ  の「基本フレーズ」フィールドの相関の下で最も確からしい「基本フレーズ」が自動的に、あるいは操作者の確認の下で採用されてもよい。
【００８６】
また、本発明は、上述した実施形態に限定されず、本発明の範囲において多様な実施形態の構成が可能であり、構成要素の全てまたは一部に如何なる改良が施されてもよい。
【００８７】
以下、本願に開示された発明の内、「特許請求の範囲」に記載しなかった発明の構成、作用および効果を「特許請求の範囲」、「課題を解決するための手段」および「発明の効果」の欄に準じた様式により列記する。
【００８８】
〔請求項６〕
請求項１に記載の装置において、
前記処理要求手段は、
前記語または前記句に整合する対の候補の内、前記操作者によって指定された対で示される処理を前記プロセッサに要求する
ことを特徴とする装置。
【００８９】
すなわち、装置によって発揮されるべき所望の機能とその機能の前提条件との対は、このような対の態様の内、操作者によって与えられる語や句に単に整合したものではなく、その操作者によって選択された対に設定される。
【００９０】
したがって、本発明が適用された装置の操作者は、上記語や句に整合する機能および前提条件の対が複数通りある場合であっても、その装置を所望の形態で稼働させることができる。
【００９１】
〔請求項７〕
請求項２に記載の操作支援装置において、
前記処理要求手段は、
前記語または前記句に整合する対の候補の内、前記操作者によって指定された対で示される処理を前記プロセッサに要求する
ことを特徴とする操作支援装置。
【００９２】
すなわち、装置によって発揮されるべき所望の機能とその機能の前提条件との対は、このような対の態様の内、操作者によって与えられる語や句に単に整合したものではなく、その操作者によって選択された対に設定される。
【００９３】
したがって、本発明が適用された装置の操作者は、上記語や句に整合する機能および前提条件の対が複数通りある場合であっても、その装置を所望の形態で稼働させることができる。
【００９４】
〔請求項８〕
請求項３に記載の端末装置において、
前記処理要求手段は、
前記語または前記句に整合する対の候補の内、前記操作者によって指定された対で示される処理を前記プロセッサに要求する
ことを特徴とする端末装置。
【００９５】
すなわち、装置によって発揮されるべき所望の機能とその機能の前提条件との対は、このような対の態様の内、操作者によって与えられる語や句に単に整合したものではなく、その操作者によって選択された対に設定される。
【００９６】
したがって、本発明が適用された装置の操作者は、上記語や句に整合する機能および前提条件の対が複数通りある場合であっても、その装置を所望の形態で稼働させることができる。
【００９７】
〔請求項９〕
請求項１または請求項６に記載の装置において、
前記装置の機能毎に、発揮され得る個別の前提条件と、前記個別の前提条件における発揮のために前記プロセッサによって行われるべき処理との対が予め登録された記憶手段を備える
ことを特徴とする装置。
【００９８】
すなわち、装置によって発揮されるべき機能とその機能の前提条件との対は、態様が多数あり、かつ微妙に異なるものが含まれる場合であっても、記憶手段の記憶容量の範囲で柔軟に組み込まれ、しかも、変更や修正が可能である。
【００９９】
したがって、本発明は、多様な機能、性能および仕様の装置に柔軟に適用可能となる。
【０１００】
〔請求項１０〕
請求項２または請求項７に記載の操作支援装置において、
前記装置の機能毎に、発揮され得る個別の前提条件と、前記個別の前提条件における発揮のために前記プロセッサによって行われるべき処理との対が予め登録された記憶手段を備える
ことを特徴とする操作支援装置。
【０１０１】
すなわち、装置によって発揮されるべき機能とその機能の前提条件との対は、態様が多数あり、かつ微妙に異なるものが含まれる場合であっても、記憶手段の記憶容量の範囲で柔軟に組み込まれ、しかも、変更や修正が可能である。
【０１０２】
したがって、本発明は、多様な機能、性能および仕様の装置に柔軟に適用可能となる。
【０１０３】
〔請求項１１〕
請求項３または請求項８に記載の端末装置において、
前記装置の機能毎に、発揮され得る個別の前提条件と、前記個別の前提条件における発揮のために前記プロセッサによって行われるべき処理との対が予め登録された記憶手段を備える
ことを特徴とする端末装置。
【０１０４】
すなわち、装置によって発揮されるべき機能とその機能の前提条件との対は、態様が多数あり、かつ微妙に異なるものが含まれる場合であっても、記憶手段の記憶容量の範囲で柔軟に組み込まれ、しかも、変更や修正が可能である。
【０１０５】
したがって、本発明は、多様な機能、性能および仕様の装置に柔軟に適用可能となる。
【符号の説明】
【０１０６】
１０，７０  レーダ装置
１１，７５  制御部
１１ＦＲ  フレーズレジスタ
１１ＢＦＴ  基本フレーズテーブル
１１ＡＲ  アクションレジスタ
７１  空中線系
７２  送受信部
７３  信号処理部
７４  指示部
【図１】
2014109912.tif 000003
【図２】
2014109912.tif 000004
【図３】
2014109912.tif 000005
【図４】
2014109912.tif 000006
【図５】
2014109912.tif 000007
【図６】
2014109912.tif 000008
【図７】
2014109912.tif 000009